(57)【要約】【課題】ターミナルのランスの係止位置に制限があっても組付性に優れたコネクタのターミナル係止構造の提供を目的とする。【解決手段】コネクタのハウジングにターミナルをランス係止するターミナル係止構造であって、前記ターミナルは円筒部の外周にランスとスタビライザとを有し、前記ハウジングはターミナルの挿入部と、当該挿入部の内周廻りのうち、所定の位置のみに設けたランスの係止部と、当該挿入部に沿って挿入した前記スタビライザのガイド部と、を有し、前記ターミナルをハウジングの挿入部に挿入するとスタビライザがガイド部に沿って周廻りに回動することでターミナルが回転し、ランスがハウジング側の所定の位置に有するランス係止部に誘導されることを特徴とする。【選択図】  図１
2015076296.tif 000002
【特許請求の範囲】
【請求項１】
コネクタのハウジングにターミナルをランス係止するターミナル係止構造であって、
前記ターミナルは円筒部の外周にランスとスタビライザとを有し、
前記ハウジングはターミナルの挿入部と、
当該挿入部の内周廻りのうち、所定の位置のみに設けたランスの係止部と、
当該挿入部に沿って挿入した前記スタビライザのガイド部と、を有し、
前記ターミナルをハウジングの挿入部に挿入するとスタビライザがガイド部に沿って周廻りに回動することでターミナルが回転し、ランスがハウジング側の所定の位置に有するランス係止部に誘導されることを特徴とするコネクタのターミナル係止構造。
【請求項２】
前記スタビライザは円筒部の周廻りに３つ以上有し、前記ガイド部はターミナルの挿入先端側から挿入後部に向けて末広がり形状になっており、前記スタビライザのうち隣接する２つのスタビライザの間に前記ガイド部が位置するようにターミナルが回転しながら挿入されることでランスが所定位置に誘導されるものであることを特徴とする請求項１記載のコネクタのターミナル係止構造。
【発明の詳細な説明】
【技術分野】
【０００１】
本発明は、コネクタのターミナル係止構造に関する。
【背景技術】
【０００２】
太陽光発電パネルのケーブル接続コネクタ等、ソケットコネクタとプラグコネクタを用いてケーブル接続するようなコネクタの分野では、例えば図７に示すように外周部にランス２１ａ〜２１ｄを設けた円筒形状のターミナル２０をハウジング１１１の挿入部１１４に挿入し、ランス２１ａ〜２１ｄを係止部１１４に係止させていた。
この場合に係止部１１４は、内側全周に跨って段差状に形成されていたのでターミナルの挿入に方向性の制限がなく、周廻り３６０°あらゆる向きで挿入しても問題なくランス係止できた。
しかし、例えば図１に示すように相手コネクタとの嵌合制限や強度等の設定により、ランスの係止部１４を設けることができない係止部のない部位１５が生じる場合に、この係止部がない部位１５に向けてランスが挿入されてもターミナルをハウジングに係止保持できない問題があった。
また、ターミナルをハウジング係止後、このターミナルを回転させるとランスが係止部から外れ、脱落する恐れもあった。
【０００３】
ターミナルのハウジングへの組み付け方法として特許文献１には、誤挿入を防止するために誤って挿入した場合にランスの弾性係止部より先に当たる位置決め凸部を設けた技術を開示するが、ターミナルの挿入方向を適正な位置に誘導するものではない。
【先行技術文献】
【特許文献】
【０００４】
【特許文献１】特開２００５−１５８３３０号公報
【発明の概要】
【発明が解決しようとする課題】
【０００５】
本発明は、ターミナルのランスの係止位置に制限があっても組み付け性に優れたコネクタのターミナル係止構造の提供を目的とする。
【課題を解決するための手段】
【０００６】
本発明に係るコネクタのターミナル係止構造は、コネクタのハウジングにターミナルをランス係止するターミナル係止構造であって、前記ターミナルは円筒部の外周にランスとスタビライザとを有し、前記ハウジングはターミナルの挿入部と、当該挿入部の内周廻りのうち、所定の位置のみに設けたランスの係止部と、当該挿入部に沿って挿入した前記スタビライザのガイド部と、を有し、前記ターミナルをハウジングの挿入部に挿入するとスタビライザがガイド部に沿って周廻りに回動することでターミナルが回転し、ランスがハウジング側の所定の位置に有するランス係止部に誘導されることを特徴とする。
本発明においてコネクタは、ターミナルにケーブルを結線し、このターミナルを絶縁ハウジング内に挿入及びランス係止させたものをいい、ソケットコネクタ，プラグコネクタのいずれにも適用される。
このようにターミナルをハウジングの挿入部に挿入すると、ガイド部に沿ってスタビライザが摺接しランスが所定の位置にくるようにしたので、ランスの係止位置に制限があってもターミナルをハウジング内に組み付ける際に周廻りいずれの角度であっても挿入可能になる。
【０００７】
本発明において、スタビライザは円筒部の周廻りに３つ以上有し、前記ガイド部はターミナルの挿入先端側から挿入後部に向けて末広がり形状になっており、前記スタビライザのうち隣接する２つのスタビライザの間に前記ガイド部が位置するようにターミナルが回転しながら挿入されることでランスが所定位置に誘導されるものであってもよい。
このようにすると、隣り合うスタビライザの間にガイド部が挿入されるようにターミナルが位置決めされるのでターミナルの回転も規制でき、ターミナルをハウジング内に挿入組み付けした後にターミナルが回転し、ランスがハウジングの係止部から外れる恐れがなくなる。
【発明の効果】
【０００８】
本発明に係るターミナルの係止構造においては、ランスの係止位置に制限があってもターミナルのスタビライザがハウジング側のガイド部により所定の位置に回動誘導されるためにターミナルのハウジングへの挿入の際には周廻り角度的な制限がなくなり、組み付け性に優れる。
【図面の簡単な説明】
【０００９】
【図１】コネクタのハウジングの後方からターミナルを挿入組み付けする状態の斜視図を示す。
【図２】Ａ−Ａ線断面斜視図を示す。
【図３】（ａ）はＡ−Ａ線断面図、（ｂ）はターミナルを組み付けた状態でのスタビライザとガイド部の位置関係を点線で示す。
【図４】（ａ）はＢ−Ｂ線断面図を示し、（ｂ）はターミナル組み付け後の状態を示す。
【図５】（ａ）〜（ｃ）はターミナルをハウジングの挿入部に挿入するとスタビライザがガイド部に摺接し、ターミナルがＷの方向に回転する説明図である。
【図６】（ａ）はランスと係止部の断面図、（ｂ）はスタビライザとガイド部の断面図を示す。（ｃ）はスタビライザが３つの場合のガイド部の例を示す。
【図７】従来のハウジングの構造例を示す。
【発明を実施するための形態】
【００１０】
本発明に係るコネクタのターミナル係止構造は、各種コネクタに適用できるが以下、太陽光発電パネル接続用の防水コネクタに適用した例で説明する。
コネクタ１０は、図１に示すように樹脂製のハウジング１１の挿入部１２に後方からターミナル２０を挿入，組み付けされる。
挿入部１２には、ガイド部１３とランスの係止部１４が設けられている。
ハウジング１１の両側に相手コネクタとの嵌合爪１６と防水Ｏリング１７を設けた例になっている。
ターミナル２０は金属製であり、円筒部２０ａの外周部に沿って周廻りに等間隔に切り起こした４つのスタビライザ２１ａ〜２１ｄと、２つのランス２２ａ，２２ｂを設けた例になっている。
ターミナル２０は、ケーブル１が結線されている。
【００１１】
本実施例は、図２，３に図１のＡ−Ａ線断面図、図４にＢ−Ｂ線断面図を示すように防水型のソケットコネクタの例である。
ターミナル２０を挿入組み付けるための挿入部１２は、相手側コネクタのプラグターミナルが嵌合接続できるようにソケット端子部を配設する筒状の端子挿入部１２ｂと、その後方にスタビライザ２１ａ〜２１ｄが位置するスタビライザ挿入部１２ａを有する。
また、端子挿入部１２ｂの根元側にはランスが係止するための段差状の係止部１４を有する。
係止部１４は、図１に斜視図を示し、図６（ａ）に断面図を示すようにランス２２ａが係止できる段差状の係止部１４は一部にのみ設けることができ、強度設定上、係止部のない部位１５が生じた例である。
【００１２】
スタビライザ挿入部１２ａは断面が円形状であり、その内周面に図１〜３に示すように、ターミナルの挿入先端部１３ａの幅が小さく、挿入後部１３ｂの幅が広い末広形状のガイド部１３がリブ状に突設形成されている。
図５（ａ）に示すように任意の周廻り角度でターミナル２０をハウジング１１の後方から挿入部１２に挿入すると、図５（ｂ）に示すようにスタビライザ２１ａ〜２１ｄがガイド部１３の側壁１３ｃ，１３ｄに沿って差し込まれるので、ケーブル及びターミナルが矢印Ｗの方向に回転し、図５（ｃ）に示すようにランス２２ａ，２２ｂが所定の位置に設けた係止部１４にランス係止する。
図３（ｂ）にスタビライザ２１ｂ，２１ｃがガイド部１３の両側の側壁に沿って差し込まれた状態を点線で示す。
ガイド部１３は、スタビライザ２１ａ〜２１ｄの挿入をガイドすることでランスの係止位置を所定の位置に誘導するとともに、隣接する両側のスタビライザ２１ｂ，２１ｃの間に納まるので、ターミナルの自由回転を規制する。
このような動きを図６（ｂ）の断面図で示す。
本実施例は、スタビライザが２１ａ〜２１ｄの４つの場合であったが、図６（ｃ）には３つのスタビライザ２１ｅ〜２１ｇの例を示す。
【符号の説明】
【００１３】
１        ケーブル
１０      コネクタ
１１      ハウジング
１２      挿入部
１３      ガイド部
１４      係止部
２０      ターミナル
２１ａ    スタビライザ
２２ａ    ランス
【図１】
2015076296.tif 000003
【図２】
2015076296.tif 000004
【図３】
2015076296.tif 000005
【図４】
2015076296.tif 000006
【図５】
2015076296.tif 000007
【図６】
2015076296.tif 000008
【図７】
2015076296.tif 000009